(57)【要約】【課題】作業者に多大の負荷と労力を課すことなく、簡易な手段により保護シートで被覆された巻取製品の紙管部を覆う保護シート余剰部を除去できるようにする。【解決手段】保護シートで被覆された巻取製品の紙管部を覆う保護シート余剰部を除去する装置であって、保護シート余剰部を切断する切断刃１１と、切断刃１１が取付けられた切断刃ホルダー１４と、切断刃ホルダー１４に連結され、切断刃１１を保護シート余剰部を介して紙管部の周面に押し付ける切断刃押付部２０と、切断刃ホルダー１４と、切断刃押付部２０と、回転部材とを有し、該回転部材が前記保護シート余剰部を介して前記紙管の周面に接触するように前記紙管部に装着することができるハウジング３１とを備えた保護シート余剰部除去装置。【選択図】図１
2017024755.tif 000002
【特許請求の範囲】
【請求項１】
保護シートで被覆された巻取製品の紙管部を覆う保護シート余剰部を除去する方法であって、
切断刃が取付けられた装着部を前記紙管部に装着する工程と、
前記切断刃を前記保護シート余剰部を介して前記紙管部の周面に押し付ける工程と、
前記切断刃保持部を回転させ、前記切断刃により前記保護シート余剰部を切断する工程と
を備えたことを特徴とする保護シート余剰部除去方法。
【請求項２】
前記切断刃は円形刃であり、該円形刃は前記切断刃保持部に回転可能に取付けられていることを特徴とする請求項１記載の保護シート余剰部除去方法。
【請求項３】
保護シートで被覆された巻取製品の紙管部を覆う保護シート余剰部を除去する方法であって、
切断刃が取付けられた切断刃ホルダーと回転部材を有するハウジングを、該回転部材が前記保護シート余剰部を介して前記紙管の周面に接触するように前記紙管部に装着する工程と、
前記切断刃を前記保護シート余剰部を介して前記紙管部の周面に押し付ける工程と、
前記ハウジングを回転させ、前記切断刃により前記保護シート余剰部を切断する工程と
を備えたことを特徴とする保護シート余剰部除去方法。
【請求項４】
前記切断刃は円形刃であり、該円形刃は前記切断刃ホルダーに回転可能に取付けられていることを特徴とする請求項３記載の保護シート余剰部除去方法。
【請求項５】
保護シートで被覆された巻取製品の紙管部を覆う保護シート余剰部を除去する装置であって、
前記保護シート余剰部を切断する切断刃を有する切断手段と、
前記切断刃を前記保護シート余剰部を介して前記紙管部の周面に押し付ける切断刃押付手段と、
前記切断刃を保持し、前記紙管に回転可能に装着することができる装着手段と
を備えたことを特徴とする保護シート余剰部除去装置。
【請求項６】
前記切断刃は円形刃であり、該円形刃は前記切断刃保持手段に回転可能に取付けられていることを特徴とする請求項５記載の保護シート余剰部除去装置。
【請求項７】
保護シートで被覆された巻取製品の紙管部を覆う保護シート余剰部を除去する装置であって、
前記保護シート余剰部を切断する切断刃と、
前記切断刃が取付けられた切断刃ホルダーと、
前記切断刃ホルダーに連結され、前記切断刃を前記保護シート余剰部を介して前記紙管部の周面に押し付ける切断刃押付部と、
前記切断刃ホルダーと、前記切断刃押付部と、回転部材とを有し、該回転部材が前記保護シート余剰部を介して前記紙管の周面に接触するように前記紙管部に装着することができるハウジングと
を備えたことを特徴とする保護シート余剰部除去装置。
【請求項８】
前記切断刃は円形刃であり、該円形刃は前記切断刃ホルダーに回転可能に取付けられていることを特徴とする請求項７記載の保護シート余剰部除去装置。
【発明の詳細な説明】
【技術分野】
【０００１】
本発明は、紙管に巻き付けられて保護シートで被覆された巻取製品の紙管部を覆う保護シート余剰部を除去する方法及び装置に関するものである。
【背景技術】
【０００２】
連続するシートに印刷やコーティング等の加工を施し、加工されたシートを紙管に巻き取った巻取製品（中間製品を含む）においては、巻取製品が保護フィルム等の保護シートにより被覆された状態で、後工程や出荷工程に搬送される。
図１０は、紙管に巻き取られた巻取製品の斜視図である。図に示すように巻取製品６１は、紙管６２に巻き取られた形態であり、紙管６２は、巻取製品６１の側面６１ａ、６１ｂから突出した紙管突出部６２ａ、６２ｂを形成している。
図１１は、図１０に示す巻取製品６１を保護シートで被覆した状態を表した縦断面図である。図に示すように、巻取製品６１は保護シート６３により被覆されているが、紙管突出部６２ａ、６２ｂも、保護シート６３により被覆されている。この紙管突出部６２ａ、６２ｂを被覆する保護シート６３は、後工程や出荷工程において梱包作業等に支障きたすため、不要な部分として除去されるべき保護シート余剰部６３ａ、６３ｂとなっている。そして、この保護シート余剰部６３ａ、６３ｂの除去は、手作業により行われている。
図１２は、手作業により保護シート余剰部６３ａ、６３ｂを除去する方法を説明した説明図である。図１２（ａ）に示すように、作業者が、保護シート余剰部６３ａ、６３ｂの基部６３ｃにカッターナイフＣＮの刃先を差し込み、その状態でカッターナイフＣＮを移動させて基部６３ｃを切り取って、保護シート余剰部６３ａ、６３ｂを保護シート６３の基部６３ｃから切り離し、図１２（ｂ）に示すように、筒状の保護シート余剰部６３ａ、６３ｂを紙管突出部６２ａ、６２ｂから抜き取ることにより保護シート余剰部６３ａ、６３ｂを除去している。
しかしながら、保護シート６３には、巻取製品６１を保護するために厚手のフィルム等が使用され、しかも、保護シート６３の基部６３ｃは、保護シート６３がひだ状に折り込まれて何重にも重なっているため、作業者は、カッターナイフＣＮで基部６３ｃを切り取って保護シート余剰部６３ａ、６３ｂを除去するのに多大の労力を要していた。
【０００３】
ところで、巻取製品の一種である巻取紙は、全体が包装紙によって頑丈に包装され、製紙会社等から印刷会社等に搬入される。そして、印刷会社等では、作業者により巻取紙を被覆している包装紙が除去されるが、巻取紙から包装紙を除去する作業には多大の労力を要するため、種々の包装紙剥離装置が提案されている。
例えば、特開２００９−２７４７４８号公報（特許文献１）には、刃の面が巻取紙の鏡面（側面）と平行となる矢形刃と、鏡面に対して該矢形刃の外側に位置させたナイフとを備えた剥離部を設け、剥離部を鏡面の外周端部に沿って旋回させると、矢形刃が包装紙の折目部に突き刺さって耳折部を引き起こし、引き起こされた耳折部をナイフが切断して、包装紙を巻取紙の鏡面から剥離する巻取紙の鏡面包装紙剥離装置が開示されている。
また、特開平１０−３０５８２１号公報（特許文献２）には、包装材で包装された巻取紙に対して、レーザービームを用いて包装材のみを切断剥離する包装物及びその開封方法及び装置が開示されている。
【０００４】
しかしながら、特許文献１の包装紙剥離装置は、巻取紙の鏡面（側面）を覆う包装紙を剥離するもので、紙管部の突出部を覆う保護シート余剰部の剥離には適用できない。
また、特許文献２のレーザービームを用いる方法は、包装される物と包装材の間にレーザービームで切断されにくい材料よりなる遮光層を介在させる必要があり、保護シート余剰部のみで覆われた紙管部の突出部における保護シート余剰部の剥離には適用できない。
したがって、保護シートで被覆された巻取製品の紙管部を覆う保護シート余剰部を除去するには、上記のような手作業に頼らざるを得ず、作業者に多大の負荷と労力を課しているという問題が生じていた。
【先行技術文献】
【特許文献】
【０００５】
【特許文献１】特開２００９−２７４７４８号公報
【特許文献２】特開平１０−３０５８２１号公報
【発明の概要】
【発明が解決しようとする課題】
【０００６】
本発明が解決しようとする課題は、作業者に多大の負荷と労力を課すことなく、簡易な手段により保護シートで被覆された巻取製品の紙管部を覆う保護シート余剰部を除去できるようにすることである。
【課題を解決するための手段】
【０００７】
本発明は、保護シートで被覆された巻取製品の紙管部を覆う保護シート余剰部を除去する方法であって、切断刃が取付けられた装着部を前記紙管部に装着する工程と、前記切断刃を前記保護シート余剰部を介して前記紙管部の周面に押し付ける工程と、前記切断刃保持部を回転させ、前記切断刃により前記保護シート余剰部を切断する工程とを備えた保護シート余剰部除去方法を提供して、上記課題を解決するものである。
【０００８】
本発明は、前記切断刃は円形刃であり、該円形刃は前記切断刃保持部に回転可能に取付けられている保護シート余剰部除去方法を提供して、上記課題を解決するものである。
【０００９】
本発明は、保護シートで被覆された巻取製品の紙管部を覆う保護シート余剰部を除去する方法であって、切断刃が取付けられた切断刃ホルダーと回転部材を有するハウジングを、該回転部材が前記保護シート余剰部を介して前記紙管の周面に接触するように前記紙管部に装着する工程と、前記切断刃を前記保護シート余剰部を介して前記紙管部の周面に押し付ける工程と、前記ハウジングを回転させ、前記切断刃により前記保護シート余剰部を切断する工程とを備えた保護シート余剰部除去方法を提供して、上記課題を解決するものである。
【００１０】
本発明は、前記切断刃は円形刃であり、該円形刃は前記切断刃ホルダーに回転可能に取付けられている保護シート余剰部除去方法を提供して、上記課題を解決するものである。
【００１１】
本発明は、保護シートで被覆された巻取製品の紙管部を覆う保護シート余剰部を除去する装置であって、前記保護シート余剰部を切断する切断刃を有する切断手段と、前記切断刃を前記保護シート余剰部を介して前記紙管部の周面に押し付ける切断刃押付手段と、  前記切断刃を保持し、前記紙管に回転可能に装着することができる装着手段とを備えた保護シート余剰部除去装置を提供して、上記課題を解決するものである。
【００１２】
本発明は、前記切断刃は円形刃であり、該円形刃は前記切断刃保持手段に回転可能に取付けられている保護シート余剰部除去装置を提供して、上記課題を解決するものである。
【００１３】
本発明は、保護シートで被覆された巻取製品の紙管部を覆う保護シート余剰部を除去する装置であって、前記保護シート余剰部を切断する切断刃と、前記切断刃が取付けられた切断刃ホルダーと、前記切断刃ホルダーに連結され、前記切断刃を前記保護シート余剰部を介して前記紙管部の周面に押し付ける切断刃押付部と、前記切断刃ホルダーと、前記切断刃押付部と、回転部材とを有し、該回転部材が前記保護シート余剰部を介して前記紙管の周面に接触するように前記紙管部に装着することができるハウジングとを備えた保護シート余剰部除去装置を提供して、上記課題を解決するものである。
【００１４】
本発明は、前記切断刃は円形刃であり、該円形刃は前記切断刃ホルダーに回転可能に取付けられている保護シート余剰部除去装置を提供して、上記課題を解決するものである。
【発明の効果】
【００１５】
本発明の保護シート余剰部除去方法は、保護シートで被覆された巻取製品の紙管部を覆う保護シート余剰部を除去する方法であって、切断刃が取付けられた装着部を前記紙管部に装着し、前記切断刃を前記保護シート余剰部を介して前記紙管部の周面に押し付け、前記切断刃保持部を回転させ、前記切断刃により前記保護シート余剰部を切断するため、作業者に多大の負荷と労力を課すことなく、簡易な方法により保護シートで被覆された巻取製品の紙管部を覆う保護シート余剰部を除去できるという効果を奏する。
【００１６】
本発明の保護シート余剰部除去方法は、前記切断刃は円形刃であり、該円形刃は前記切断刃保持部に回転可能に取付けられているため、さらに、保護シート余剰部を確実に切断できるという効果を奏する。
【００１７】
本発明の保護シート余剰部除去方法は、保護シートで被覆された巻取製品の紙管部を覆う保護シート余剰部を除去する方法であって、切断刃が取付けられた切断刃ホルダーと回転部材を有するハウジングを、該回転部材が前記保護シート余剰部を介して前記紙管の周面に接触するように前記紙管部に装着し、前記切断刃を前記保護シート余剰部を介して前記紙管部の周面に押し付け、前記ハウジングを回転させ、前記切断刃により前記保護シート余剰部を切断するため、作業者に多大の負荷と労力を課すことなく、簡易な方法により保護シートで被覆された巻取製品の紙管部を覆う保護シート余剰部を除去できるという効果を奏する。
【００１８】
本発明の保護シート余剰部除去方法は、前記切断刃は円形刃であり、該円形刃は前記切断刃ホルダーに回転可能に取付けられているため、さらに、保護シート余剰部を確実に切断できるという効果を奏する。
【００１９】
本発明の保護シート余剰部除去装置は、保護シートで被覆された巻取製品の紙管部を覆う保護シート余剰部を除去する装置であって、切断手段が前記保護シート余剰部を切断する切断刃を有し、切断刃押付手段が前記切断刃を前記保護シート余剰部を介して前記紙管部の周面に押し付け、装着手段が前記切断刃を保持し前記紙管に回転可能に装着されるため、作業者に多大の負荷と労力を課すことなく、簡易な方法により保護シートで被覆された巻取製品の紙管部を覆う保護シート余剰部を除去できるという効果を奏する。
【００２０】
本発明の保護シート余剰部除去装置は、前記切断刃は円形刃であり、該円形刃は前記切断刃保持手段に回転可能に取付けられているため、さらに、保護シート余剰部を確実に切断できるという効果を奏する。
【００２１】
本発明の保護シート余剰部除去装置は、保護シートで被覆された巻取製品の紙管部を覆う保護シート余剰部を除去する装置であって、切断刃が前記保護シート余剰部を切断し、この切断刃が切断刃ホルダーに取付けられ、切断刃押付部が前記切断刃ホルダーに連結され、前記切断刃を前記保護シート余剰部を介して前記紙管部の周面に押し付け、ハウジングが前記切断刃ホルダーと、前記切断刃押付部と、回転部材とを有し、該回転部材が前記保護シート余剰部を介して前記紙管の周面に接触するように前記紙管部に装着されるため、作業者に多大の負荷と労力を課すことなく、簡易な方法により保護シートで被覆された巻取製品の紙管部を覆う保護シート余剰部を除去できるという効果を奏する。
【００２２】
本発明の保護シート余剰部除去装置は、前記切断刃は円形刃であり、該円形刃は前記切断刃ホルダーに回転可能に取付けられているため、さらに、保護シート余剰部を確実に切断できるという効果を奏する。
【図面の簡単な説明】
【００２３】
【図１】本発明の保護シート余剰部除去装置の一実施形態を示した一部分解斜視図である。
【図２】図１に示す保護シート余剰部除去装置の正面図である。
【図３】図１に示す保護シート余剰部除去装置の背面図である。
【図４】図１に示す保護シート余剰部除去装置の平面図である。
【図５】図１に示す保護シート余剰部除去装置の左側面図である。
【図６】図１に示す保護シート余剰部除去装置の右側面図である。
【図７】保護シート余剰部除去装置１のハウジング３１を、保護シート余剰部６３ａで被覆された巻取製品６１の紙管突出部６２ａに装着する前の状態を説明するための簡略化した左側面図である。
【図８】ハウジング３１を、保護シート余剰部６３ａで被覆された紙管突出部６２ａに装着した状態を説明するための簡略化した正面図である。
【図９】切断刃１１を、保護シート余剰部６３ａを介して紙管突出部６２ａの周面に押し付けた状態を説明するための簡略化した正面図である。
【図１０】紙管に巻き取られた巻取製品の斜視図である。
【図１１】図１０に示す巻取製品６１を保護シートで被覆した状態を表した縦断面図である。
【図１２】手作業により保護シート余剰部６３ａ、６３ｂを除去する方法を説明した説明図である。
【発明を実施するための形態】
【００２４】
まず、本発明の保護シート余剰部除去装置の構成について説明する。
図１は、本発明の保護シート余剰部除去装置の一実施形態を示した一部分解斜視図であり、図２は、図１に示す保護シート余剰部除去装置の正面図であり、図３は、図１に示す保護シート余剰部除去装置の背面図であり、図４は、図１に示す保護シート余剰部除去装置の平面図であり、図５は、図１に示す保護シート余剰部除去装置の左側面図であり、図６は、図１に示す保護シート余剰部除去装置の右側面図である。図１は切断部を取り外した状態を示し、図２〜６においては、主な隠線を破線で表している。
図中、１は保護シート余剰部除去装置、１０は切断部、１１は切断刃、１２は切断刃カバー、１２ａは長穴、１３はビス、１４は切断刃ホルダー、１５はピン、１５ａはピン穴、２０は切断刃押付部、２１は支持板、２２は角型部材、２２ａは窓孔、２３はＬ型支持板、２４はピン、３０は装着部、３１はハウジング、３１ａは開口部、３１ｂは背面板、３２は開口部、３３（３３ａ、３３ｂ）はローラー、３４（３４ａ、３４ｂ）はローラー支持部材、４０はボルト、４１はナット、５０はコイルバネである。
【００２５】
［保護シート余剰部除去装置の全体構成］
図１に示すように、保護シート余剰部除去装置１は、本発明の切断手段となる切断部１０と、本発明の切断刃押付手段となる切断刃押付部２０と、本発明の装着手段となる装着部３０から構成される。
そして、ボルト４０とナット４１により、切断部１０と切断刃押付部２０が連結され、切断刃押付部２０の支持板２１が、ハウジング３１の背面板３１ｂに取り付け固定される。
【００２６】
［切断部１０］
切断部１０は、切断刃１１、切断刃カバー１２、切断刃ホルダー１４等から構成され、切断刃１１と切断刃カバー１２は、重ねられてビス１３とナット、ワッシャー（図示せず）により、切断刃ホルダー１４の先端部に取り付けられている。
切断刃１１は、円形刃（丸刃）が使用され、切断刃ホルダー１４に回転自在に取り付けられている。
切断刃カバー１２は、平坦なスプーン形状であり、上部には長穴１２ａが設けられ、ボルト４０とナット４１により、切断刃ホルダー１４が切断刃押付部２０に取り付けられたとき、上下に移動可能となっている。この切断刃カバー１２を押し下げると、下部の円板部が切断刃１１の外縁を覆い、作業者の指等が切断刃１１と接触するのが防止される。
また、切断刃ホルダー１４の中央部には、長穴１２ａが重なる位置にボルト４０を挿入するためのボルト挿入孔（図示せず）が設けられている。
さらに、切断刃ホルダー１４の上部には、ピン穴１５ａが設けられ、ピン穴１５ａにピン１５が挿入固定されている。
【００２７】
［切断刃押付部２０］
切断刃押付部２０は、支持板２１、角型部材２２、Ｌ型支持板２３等から構成される。
支持板２１は、扁平な縦長の長方形状の板で、その上部には、角型部材２２の背面部が溶接あるいはネジ等により取り付けられている。角型部材２２は、中空の直方体形状であり、正面部には縦方向に窓孔２２ａが設けられている。
Ｌ型支持板２３は、横方向のＬ字形状であり、その側面部が角型部材２２の左側面部に溶接あるいはネジ等により取り付けられている。このＬ型支持板２３の正面部の左上隅部には、ピン穴２４ａが設けられ、ピン穴２４ａにピン２４が挿入固定されている。
【００２８】
［装着部３０］
装着部３０は、ハウジング３１、本発明の回転部材となるローラー３３（３３ａ、３３ｂ）、ローラー支持部材３４（３４ａ、３４ｂ）等より構成される。
ハウジング３１は、円管形状であり、正面部は開口部３１ａとなっており、背面部には背面板３１ｂが取り付けられ、周面の上部には長方形状の開口部３２が設けられている。
また、ハウジング３１の内周面下部には、ローラー支持部材３４（３４ａ、３４ｂ）が取り付けられ、ローラー支持部材３４（３４ａ、３４ｂ）には、ローラー３３（３３ａ、３３ｂ）が回転自在に取り付けられている。
【００２９】
［切断部１０、切断刃押付部２０、装着部３０の組み立て］
切断刃押付部２０の支持板２１と装着部３０の背面板３１ｂを溶接あるいはネジ等より結合固定することにより、装着部３０に切断刃押付部２０が組み付けられる。
また、切断部１０において、切断刃ホルダー１４をハウジング３１の開口部３２の上方に位置させ、切断刃１１と切断刃カバー１２等の一部を開口部３２の下方（ハウジング３１の内側）に位置させ、切断刃カバー１２の長穴１２ａと切断刃ホルダー１４のボルト挿入孔（図示せず）と角型部材２２の窓孔２２ａが重なる状態にし、この状態で、ボルト４０を切断刃ホルダー１４側から挿入し、角型部材２２の内側からナット４１で締め付けることにより、切断刃ホルダー１４の背面部と角型部材２２の正面部が接触した状態で、切断部１０と切断刃押付部２０が連結される。
そして、ボルト４０とナット４１の締め付けを緩めることにより、切断刃ホルダー１４を上下方向に移動させることができ、切断刃ホルダー１４に対して切断刃カバー１２を上下方向に移動させることができる。
この場合、ボルト４０とナット４１の締め付けた状態で、切断刃ホルダー１４は、角型部材２２に対して、ボルト４０の回りに回転可能となっている。
さらに、図２や図４に示すように、切断刃ホルダー１４に取り付けられたピン１５と、Ｌ型支持板２３に取り付けられたピン２４との間にコイルバネ５０が架け渡されている。このため、切断刃ホルダー１４を右回りに回転させるとコイルバネ５０が引っ張られ、切断刃ホルダー１４には逆方向に力が作用する。
【００３０】
［保護シート余剰部の除去方法］
次に、保護シート余剰部除去装置１を使用した保護シート余剰部の除去方法について説明する。
図７は、保護シート余剰部除去装置１のハウジング３１を、保護シート余剰部６３ａで被覆された巻取製品６１の紙管突出部６２ａに装着する前の状態を説明するための、簡略化した左側面図であり、図８は、ハウジング３１を、保護シート余剰部６３ａで被覆された紙管突出部６２ａに装着した状態を説明するための、簡略化した正面図であり、図９は、切断刃１１を、保護シート余剰部６３ａを介して紙管突出部６２ａの周面に押し付けた状態を説明するための、簡略化した正面図である。
保護シート余剰部除去装置１を使用した保護シート余剰部の除去方法は、ハウジング３１を紙管突出部６２ａに装着する工程、切断刃１１を保護シート余剰部６３ａを介して紙管突出部６２ａの周面に押し付ける工程、切断刃１１により保護シート余剰部６３ａを切断する工程からなり、以下図７〜図９に基づいて各工程について説明する。
【００３１】
［ハウジング３１を紙管突出部６２ａに装着する工程］
図７に示すように、保護シート余剰部除去装置１のハウジング３１の開口部３１ａを、巻取製品６１の紙管突出部６２ａの正面に位置させ、開口部３１ａからハウジング３１を、保護シート余剰部６３ａで被覆された紙管突出部６２ａに挿入する。このとき、切断刃１１が紙管突出部６２ａに干渉しないように、切断刃ホルダー１４を上方に移動させておく。
ハウジング３１を紙管突出部６２ａに挿入した後、図８に示すように、紙管突出部６２ａの周面が、保護シート余剰部６３ａを介してローラー３３ａ、３３ｂに接触するようにする。
このようにしてハウジング３１を紙管突出部６２ａに装着する。
【００３２】
［切断刃１１を保護シート余剰部６３ａを介して紙管突出部６２ａの周面に押し付ける工程］
上記のようにしてハウジング３１を紙管突出部６２ａに装着した後、図９に示すように、ボルト４０を緩めて切断刃ホルダー１４を下方に移動させ、正面から見て、紙管突出部６２ａの周面左上部に保護シート余剰部６３ａを介して切断刃１１を接触させる。
このとき、切断刃ホルダー１４がボルト４０を中心に右方向に回転し、コイルバネ５０が引っ張られ、コイルバネ５０の復元力により、切断刃ホルダー１４にはボルト４０を中心に左方向に回転しようとする力が作用し、切断刃１１が矢印Ａの方向に、保護シート余剰部６３ａを介して紙管突出部６２ａの周面左上部に押し付けられる。
【００３３】
［切断刃１１により保護シート余剰部６３ａを切断する工程］
上記のようにして切断刃１１を保護シート余剰部６３ａを介して紙管突出部６２ａの周面に押し付けると、紙管突出部６２ａは、ハウジング３１の内側において、切断刃１１とローラー３３ａ、３３ｂに接触支持され、保護シート余剰部除去装置１が紙管突出部６２ａの回りに容易に回転可能な状態となる。
この状態でハウジング３１を左回り（図９の矢印Ｂの方向）に回転させると、ハウジング３１と一体となった保護シート余剰部除去装置１も紙管突出部６２ａの回りに回転し、切断刃１１が保護シート余剰部６３ａを介して紙管突出部６２ａの周面に押し付けられた状態で、切断刃１１が回転しながら紙管突出部６２ａの周面を移動して保護シート余剰部６３ａを切断する。
そして、ハウジング３１を紙管突出部６２ａの回りに１回転させることにより、ハウジング３１と一体となった保護シート余剰部除去装置１も紙管突出部６２ａの回りに１回転し、保護シート余剰部６３ａを切断刃１１の左側部分と右側部分に分断することができ、分断した左側部分を紙管突出部６２ａから抜き取ることにより、保護シート余剰部６３ａの大部分を紙管突出部６２ａから除去することができる。
また、右側の紙管突出部６２ｂを被覆する保護シート余剰部６３ｂも同様の方法で切断して除去することができる。
【００３４】
以上にようにして、ハウジング３１を紙管突出部６２ａ、６２ｂに装着し、切断刃ホルダー１４を下方に移動させて切断刃１１を保護シート余剰部６３ａ、６３ｂを介して紙管突出部６２ａ、６２ｂの周面に押し付け、ハウジング３１（保護シート余剰部除去装置１）を紙管突出部６２ａ６３ｂの回りに１回転させるだけで、容易に保護シート余剰部６３ａ、６３ｂが切断刃１１により切断され、保護シート余剰部６３ａ、６３ｂの大部分を紙管突出部６２ａ、６２ｂから除去することができる。
【産業上の利用可能性】
【００３５】
保護シート余剰部除去方法及び保護シート余剰部除去装置は、紙管に巻き付けられて保護シートで被覆された巻取製品の紙管部を覆う保護シート余剰部を除去する方法及び装置に関するもので、作業者に多大の負荷と労力を課すことなく、簡易な手段により保護シートで被覆された巻取製品の紙管部を覆う保護シート余剰部を除去できる。
【符号の説明】
【００３６】
１  保護シート余剰部除去装置
１０  切断部
１１  切断刃
１２  切断刃カバー
１２ａ  長穴
１３  ビス
１４  切断刃ホルダー
１５  ピン
１５ａ  ピン穴
２０  切断刃押付部
２１  支持板
２２  角型部材
２２ａ  窓孔
２３  Ｌ型支持板
２４  ピン
３０  装着部
３１  ハウジング
３１ａ  開口部
３１ｂ  背面板
３２  開口部
３３、３３ａ、３３ｂ  ローラー、
３４、３４ａ、３４ｂ  ローラー支持部材
４０  ボルト
４１  ナット
５０  コイルバネ
６１  巻取製品
６１ａ、６１ｂ  側面
６２  紙管
６２ａ、６２ｂ  紙管突出部
６３  保護シート
６３ａ、６３ｂ  保護シート余剰部
６３ｃ  基部
ＣＮ  カッターナイフ 
【図１】
2017024755.tif 000003
【図２】
2017024755.tif 000004
【図３】
2017024755.tif 000005
【図４】
2017024755.tif 000006
【図５】
2017024755.tif 000007
【図６】
2017024755.tif 000008
【図７】
2017024755.tif 000009
【図８】
2017024755.tif 000010
【図９】
2017024755.tif 000011
【図１０】
2017024755.tif 000012
【図１１】
2017024755.tif 000013
【図１２】
2017024755.tif 000014